(57)【要約】【課題】  室内着としても散歩着としても使用することができる動物用被服の提供。【解決手段】  動物用被服１は、連結部３１と、本体部１０と、連結保持部３２と、を備えている。連結部３１は、リード紐４と連結可能である。本体部１０は、動物２の体表面を全体的に覆っていて、開口３ａが形成されている。連結保持部３２は、一端部が本体部１０に固定され、他端部が連結部３１に接続している。連結部３１は、開口３ａから外部に露出した露出状態と、本体部１０の内部に収容された収容状態と、を切替可能である。【選択図】図１
2018153104.tif 000002
【特許請求の範囲】
【請求項１】
リード紐を連結可能な連結部と、
動物の体を覆い、開口が形成された本体部と、
一端部が前記本体部に固定され、他端部が前記連結部に接続された連結保持部と、を有し、
前記連結部は、前記開口から外部に露出した露出状態と、前記本体部の内部に収容された収容状態と、を切替可能であることを特徴とする動物用被服。
【請求項２】
前記開口を開閉可能な開閉部をさらに有し、
前記連結部が前記収容状態にあるときに、前記開閉部は前記開口を閉じることができることを特徴とする請求項１に記載の動物用被服。
【請求項３】
前記連結保持部は、前記本体部に固定された固定部と、一端部が前記固定部に接続され他端部が前記連結部に回動可能に接続された接続部と、を有し、
前記固定部は、前記連結部が前記収容状態のとき及び前記露出状態のとき前記本体部に収容され、
前記接続部は、前記連結部が前記収容状態のとき前記本体部に収容され、前記連結部が前記露出状態のとき外部に露出していることを特徴とする請求項１または２に記載の動物用被服。
【請求項４】
前記本体部は、表地と、前記表地の裏に配置された裏地と、を有し、
前記連結部は、収容状態において、前記表地と前記裏地との間に収容されていることを特徴とする請求項１から３のいずれか１項に記載の動物用被服。
【発明の詳細な説明】
【技術分野】
【０００１】
本発明は動物用被服に関し、特に犬や猫などの愛玩動物が着用する動物用被服に関する。
【背景技術】
【０００２】
従来より、犬用の衣服として衣服と首輪とが一体的に形成され、首輪には挿通カン部が設けられているものが知られている（例えば、特許文献１）。この衣服では、伸縮可能素材によって衣服と首輪とが一体的に形成されていることにより、散歩の際の犬の首にかかる負担を軽減することができる。
【０００３】
また、他の動物用胴衣では、表生地の裏側に中央部分に連結具が設けられたアンカー紐材が設けられている（例えば、特許文献２）。アンカー紐材は、胴衣体から左右方向に均等に動物の腹部周辺に配置されているため、動物にかかる負担を軽減し優しく動物を動かすことができる。
【先行技術文献】
【特許文献】
【０００４】
【特許文献１】特開２０１１−２１７６４９号公報
【特許文献２】特許第５５３０７０６号
【発明の概要】
【発明が解決しようとする課題】
【０００５】
しかしながら、上記の衣服又は胴衣では、散歩用のリード紐を連結するための挿通カン部や連結具が衣服又は胴衣に直接固定されていて常時外部に露出した状態のままであるため、散歩用の衣服としては適していたが室内用の衣服としては不適であった。例えば、挿通カン部が設けられている衣服を室内着として利用する場合には挿通カン部が露出したままの状態であるため、室内の移動時に突起等に挿通カン部が引っ掛かるなどの問題があった。また、室内用の衣服と散歩用の衣服とを別々に所有している場合には、散歩のたびに着替えが必要となってしまうため手間がかかっていた。さらに、室内用の衣服の上からハーネスや首輪を付けて散歩に行く場合には、衣服を着用しているためハーネスや首輪のサイズを調整する必要があった。
【０００６】
そこで、本発明は室内着としても散歩着としても使用することができる動物用被服を提供することを目的とする。
【課題を解決するための手段】
【０００７】
第１の発明では、リード紐を連結可能な連結部と、動物の体を覆い、開口が形成された本体部と、一端部が前記本体部に固定され、他端部が前記連結部に接続された連結保持部と、を有し、前記連結部は、前記開口から外部に露出した露出状態と、前記本体部の内部に収容された収容状態と、を切替可能であることを特徴とする動物用被服を提供する。
【０００８】
なお、ここでいう本体部の内部に収容した収容状態とは連結部が本体部の外表面に露出していない状態をいい、例えば、動物用被服が裏地と表地とで構成され表地と裏地との間に挟まれて収容されている場合に限らず、表地だけで構成された動物用被服であって表地と動物との間に位置して収容されている場合も含むものとする。また、本体部の内部に収容とは、連結部が完全に収容されていなくても、連結部の少なくとも一部が収容されていればよい。また、動物用被服とは動物の体を覆うものであって、マフラー、スカーフ、マナーバンド、首輪、胴輪、ハーネス、及び被服形状をしたハーネス等も含まれる。
【０００９】
第２の発明では、第１の発明の動物用被服において、前記開口を開閉可能な開閉部をさらに有し、前記連結部が前記収容状態にあるときに、前記開閉部は前記開口を閉じることができることを特徴としている。
【００１０】
第３の発明では、第１の発明又は第２の発明において、前記連結保持部は、前記本体部に固定された固定部と、一端部が前記固定部に接続され他端部が前記連結部に回動可能に接続された接続部と、を有し、前記固定部は、前記連結部が前記収容状態のとき及び前記露出状態のとき前記本体部に収容され、前記接続部は、前記連結部が前記収容状態のとき前記本体部に収容され、前記連結部が前記露出状態のとき外部に露出していることを特徴としている。
【００１１】
第４の発明では、第１の発明から第３の発明のいずれかにおいて、前記本体部は、表地と、前記表地の裏に配置された裏地と、を有し、前記連結部は、収容状態において、前記表地と前記裏地との間に収容されていることを特徴としている。
【発明の効果】
【００１２】
本発明によれば、次のような効果を得ることができる。
【００１３】
第１の発明によると、連結部を開口から外部に露出した露出状態と連結部を本体部の内部に収容した収容状態とを切り替えることができるため、動物用被服を着用して動物を散歩させる際には連結部を露出状態としてリード紐を連結部に連結させ、動物用被服を室内着として使用する場合には連結部を収容状態として連結部を目立たなくさせることができる。これにより、１つの動物用被服で散歩用被服と室内用被服とを兼用することができる。また、動物用被服を室内着として使用した際、連結部が本体部に収容されているため、連結部が室内の突起等に引っ掛かることがない。特に、犬や猫などの動物は狭い空間を好むため連結部が露出した状態のままだと被服が家具等に引っ掛かる可能性があったが、本発明によりこのようなトラブルを防ぐことができる。さらに、犬や猫が身体全身を震わせる動作を行う際、連結部が露出した状態だと連結部が周囲の金属製の部材に当たって金属音がしていたが、連結部を収容状態とすることにより連結部が他の部材と接触することがないため、動物が嫌悪する金属音を抑制することができる。
【００１４】
第２の発明によると、開口を開閉可能な開閉部をさらに有しているため、開口を介して本体部の内部に雨や粉塵などが侵入するのを防止できる。また、動物用被服を着用した動物が激しい動きをしたとしても誤って連結部が開口の外に露出することがない。さらに、開口が部分的に開いて内部の連結部が外部から視認できる状態を防ぐことができるため、デザイン性に優れた動物用被服を提供することができる。
【００１５】
第３の発明によると、固定部が本体部に固定されており常に本体部に収容された状態であって外観から目視できないことから、固定部の形状が動物用被服のデザインへ与える影響を考慮する必要がないため、固定部の形状を任意に設定することができる。これにより、例えば、動物の胴を周回させるように固定部を設けることで、本体部と固定部とが強固に固定され、動物の引張に耐えることができる。紐状のハーネスを使用した場合には前脚周りに紐状にハーネスが位置しているため、動物が引張った際の負荷が紐状にかかることとなり動物への負担が大きい。これに対し、本発明では動物用被服全体で動物の引張を支えているため、動物にかかる負荷を低減することができる。特に、長毛種の場合にはハーネスが当たっている部分での毛切れや毛玉などの問題があるが、本発明によるとそのようなトラブルの発生を低減できる。
【００１６】
第４の発明によると、連結部及び連結保持部は表地と裏地との間に収容されているため、連結部及び連結保持部が動物の表皮に直接触れることが無く、動物用被服の着心地を向上させることができる。特に毛が短いスムースタイプの犬などは肌が表面に近いため敏感だが、連結部が収容状態であっても連結部の冷感を直接肌で感じることが無い。
【図面の簡単な説明】
【００１７】
【図１】本発明の第１の実施の形態による動物用被服を動物に着用したときの斜視図である。
【図２】本発明の第１の実施の形態による動物用被服の連結部を収容状態にしてファスナーを閉じたときの平面図である。
【図３】本発明の第１の実施の形態による動物用被服の連結部が収容状態のときの連結収容部の断面図である。
【図４】本発明の第２の実施の形態による動物用被服の連結部が露出状態のときの平面図である。
【図５】本発明の第３の実施の形態による動物用被服の連結部が露出状態のときの平面図である。
【図６】図６（ａ）は本発明の第４の実施の形態による動物用被服の連結収容部のカバー部を開いて連結部を露出状態にした図であり、図６（ｂ）は本発明の第４の実施の形態による動物用被服の連結部を収容状態にして連結収容部のカバー部を閉じた図であり、図６（ｃ）は本発明の第５の実施の形態による動物用被服の連結収容部のカバー部を開いて連結部を露出状態にした図であり、図６（ｄ）は本発明の第５の実施の形態による動物用被服の連結部を収容状態にして連結収容部のカバー部を閉じた図である。
【発明を実施するための形態】
【００１８】
本発明の第１の実施の形態による動物用被服１を図１乃至図３に基づき説明する。図２及び図３に示すように、前後上下左右方向を定義する。以下の説明において、直交・平行とは略直交・略平行を含む概念である。図２以降における点線は、動物用被服１の内部の構造を示している。
【００１９】
動物用被服１は、動物２に着用するための被服であって、動物２の腹部及び背中部分を覆っている。動物２は、愛玩動物である犬又は猫に限らず、動物用被服１のサイズや形状に応じて様々な動物に着用することができる。
【００２０】
動物用被服１は、本体部１０と、連結収容部３と、を備えている。本体部１０は、動物２の腹を覆う腹部１１と、動物２の首２１周辺を覆う首部１２と、動物２の背中部分を覆う背部１３と、が規定されている。腹部１１と背部１３との境界近傍には、動物２の前脚２２が挿通される２つの脚保持孔１３ａが形成されている。腹部１１は左右方向にそれぞれ分割して設けられ、一方の腹部１１は図示せぬ係合部を有し、他方の腹部１１は図示せぬ係合部と係合可能な図示せぬ被係合部を有している。
【００２１】
首部１２は、腹部１１及び背部１３の上端部に設けられ、係合部と被係合部とを係合した状態において、動物２の首２１が挿通される首保持孔１２ａが形成される。
【００２２】
背部１３には、連結収容部３が設けられている。連結収容部３は、連結部３１と、連結保持部３２と、ファスナー３３と、を有しており、開口３ａが形成されている。連結収容部３は、背部１３（動物用被服１）における左右方向の略中央部分に設けられていて、動物用被服１を動物２に着用した際に連結収容部３が動物２の背骨の位置に対応している。連結収容部３は、左右方向において脚保持孔１３ａの間であって、脚保持孔１３ａよりも後方に位置している。
【００２３】
連結部３１及び連結保持部３２は、開口３ａに対して左右方向に１つずつ対称に設けられている。連結部３１は略Ｄ字状の金具であって当該Ｄの直線部分が上下方向に延びるように配置されており、リード紐４の係止金具４１と係合可能である。係止金具４１は、操作部４２を操作して２つの連結部３１を連結空間４ａに通すことにより、連結部３１に係止される。
【００２４】
図３に示すように、本体部１０は、表地１０Ａと、表地１０Ａに固定され動物２と接触する裏地１０Ｂと、を有し、連結収容部３の連結部３１及び連結保持部３２は、表地１０Ａと、裏地１０Ｂと、の間の収容空間１０ａに収容可能となっている。連結保持部３２の一端部には連結部３１の略Ｄ字状の直線部分に接続される接続部３４を備え、他端部には裏地１０Ｂに固定される固定部３５を備えている。接続部３４には、当該直線部分に巻回されることにより連結部３１が回動可能な状態で接続されている。固定部３５は、図２の一点鎖線で示すように、上下方向に延びる縫目３５Ａによって裏地１０Ｂに縫製されている。連結保持部３２は、ナイロン製のバンドであって柔軟性を有し、開口３ａの長手方向の長さよりも幅が短い。開口３ａが伸びる方向と縫目３５Ａの方向とが同一であるため、連結部３１を容易に開口３ａから取り出すことができる。
【００２５】
開口３ａは、動物２の背骨と平行な上下方向に延びファスナー３３によって開閉可能である。ファスナー３３は開口３ａの一方の端部と他方の端部とを係合させることにより、開口３ａを閉鎖する。詳細には、ファスナー３３を下方にスライドさせることにより開口３ａが開口し、ファスナー３３を上げると開口３ａが閉鎖される。ファスナー３３は防水性のファスナーであるため、雨や雪などが開口３ａ内部に侵入することを防止できる。開口３ａが伸びる方向と、連結部３１のＤ字状の直線部分の方向が同一であるため、連結部３１を容易に開口３ａから取り出すことができる。ファスナー３３は、本発明の開閉部の一例である。
【００２６】
ファスナー３３を開いて連結部３１及び連結保持部３２の接続部３４を露出させることにより、連結部３１は図１に示すような露出状態となる。露出した２つの連結部３１に係止金具４１を係止させて動物用被服１とリード紐４とを繋ぐことにより、動物用被服１を動物２に着せたまま散歩に行くことができる。散歩が終了すると、係止金具４１と連結部３１との係止を解除し、連結部３１及び連結保持部３２を表地１０Ａと裏地１０Ｂとの収容空間１０ａに収容してファスナー３３を閉じることにより、連結部３１は図２に示すような収容状態となるため、動物用被服１を室内着として使用することができる。
【００２７】
動物用被服１を動物２に着用させる際は、脚保持孔１３ａに動物２の前脚２２をそれぞれ挿通させ、腹部１１に設けられた係合部と被係合部とを係合させることにより、動物用被服１を動物２に着用することができる。また、両者の係合を解除することにより、動物用被服１を動物２から脱がすことができる。
【００２８】
第１の実施の形態に係る動物用被服１によると、連結部３１を開口３ａから外部に露出した露出状態と連結部３１を本体部１０の収容空間１０ａに収容した収容状態とを切り替えることができるため、動物用被服１を着用して動物２を散歩させる際には連結部３１を露出状態としてリード紐４を連結部３１に連結させ、動物用被服１を室内着として使用する場合には連結部３１を収容状態として連結部３１を目立たなくさせることができる。これにより、１つの動物用被服１で散歩用被服と室内用被服とを兼用することができる。また、動物用被服１を室内着として使用した際、連結部３１が本体部１０に収容されているため、連結部３１が室内の突起等に引っ掛かることがない。特に、犬や猫などの動物は狭い空間を好むため連結部３１が露出した状態のままだと被服が家具等に引っ掛かる可能性があったが、本発明によりこのようなトラブルを防ぐことができる。さらに、犬や猫が身体全身を震わせる動作を行う際、連結部３１が露出した状態だと連結部３１が互いに当たって金属音がしていたが、連結部３１を収容状態とすることにより連結部３１同士が接触することがないため、動物２が嫌悪する金属音を抑制することができる。
【００２９】
さらに、開口３ａを開閉可能なファスナー３３をさらに有しているため、開口３ａを介して本体部１０の内部に雨や粉塵などが侵入するのを防止できる。また、動物用被服１を着用した動物２が激しい動きをしたとしても誤って連結部３１が開口３ａの外に露出することがない。さらに、開口３ａが部分的に開いて内部の連結部３１が外部から視認できる状態を防ぐことができるため、デザイン性に優れた動物用被服１を提供することができる。
【００３０】
さらに、固定部３５が本体部１０に固定されており常に本体部１０に収容された状態であって外観から目視できないことから、固定部３５の形状が動物用被服のデザインへ与える影響を考慮する必要がないため、固定部３５の形状を任意に設定することができる。
【００３１】
さらに、連結部３１及び連結保持部３２は表地１０Ａと裏地１０Ｂとの間の収容空間１０ａに収容されているため、連結部３１及び連結保持部３２が動物２の表皮に直接触れることが無く、動物用被服１の着心地を向上させることができる。特に毛が短いスムースタイプの犬などは肌が表面に近いため敏感だが、連結部３１が収容状態であっても連結部３１の冷感を直接肌で感じることが無い。
【００３２】
次に、本願発明の第２の実施の形態による動物用被服１０１について、図４に基づいて説明する。第１の実施の形態と同一の構成については、同一の符号を付し説明を省略する。
【００３３】
動物用被服１０１の連結収容部３は、連結部３１と連結保持部１３２とを備えている。連結保持部１３２は１対の連結部３１に対応するように左右にそれぞれ設けられ、各連結保持部１３２は連結部３１に接続される接続部１３４と、裏地１０Ｂに固定される固定部１３５と、を備えている。接続部１３４には、一端部に連結部３１が回動可能に接続され、他端部に固定部１３５が接続されている。固定部１３５は、背部１３から腹部１１に跨るように配置されており、裏地１０Ｂに固定されている。動物用被服１０１を動物２に着用した状態において、連結保持部１３２は動物２の胴回りを周回するような形状をなしている。固定部１３５は、１点鎖線で示す縫合線１３５Ａのように略矩形状に裏地１０Ｂに縫合されている。
【００３４】
連結収容部３は、ファスナー３３を開いた状態で連結部３１及び接続部１３４を外部に露出させることにより露出状態となる。このとき、固定部１３５は表地１０Ａと裏地１０Ｂとの間の収容空間１０ａに収容されている。第１の実施の形態と同様に、連結部３１と接続部１３４とを収容空間１０ａに収容することにより、収容状態となる。
【００３５】
第２の実施の形態によると、第１の実施の形態による効果に加え、連結保持部１３２が動物２の胴回りを１周するように形成され固定部１３５が縫合線１３５Ａのように略矩形状に裏地１０Ｂに縫合されているため、連結保持部１３２及び連結部３１がハーネスの役割を果たす。これにより、動物用被服１を大型の引く力が強い動物に着用し連結部３１に強い引っ張り力がかかったとしても、十分に対応することができる。
【００３６】
次に、本願発明の第３の実施の形態による動物用被服２０１について、図５に基づいて説明する。第１の実施の形態と同一の構成については、同一の符号を付し説明を省略する。
【００３７】
動物用被服２０１の連結収容部２０３は、連結部２３１と、連結保持部２３２と、ファスナー２３３と、を備え、開口２０３ａが形成されている。動物用被服２０１では、連結部２３１及び連結保持部２３２は開口２０３ａの下方にそれぞれ１つずつ設けられている。連結部２３１は略Ｄ字状の金具であって、当該Ｄの直線部分が左右方向に延びるように設けられている。連結保持部２３２は動物用被服２０１の左右方向中央部に上下方向に延びるように設けられ、連結部２３１に接続される接続部２３４と、裏地１０Ｂに固定される固定部２３５と、を備えている。接続部２３４は、一端部が連結部２３１に回動可能に接続され、他端部が固定部２３５に接続されている。固定部２３５は、動物用被服２０１を動物２に着用した際に動物２の背骨に沿う方向（上下方向）に延びるように配置されており、１点鎖線で示す縫合線２３５Ａのように略矩形状に裏地１０Ｂに縫合されている。開口２０３ａは、左右方向に延びるように形成されていて、ファスナー２３３により開閉可能である。
【００３８】
連結収容部２０３は、ファスナー２３３を開いた状態で連結部２３１及び接続部２３４を外部に露出することにより露出状態となる。このとき、固定部２３５は表地１０Ａと裏地１０Ｂとの間の収容空間１０ａに収容されている。第１の実施の形態と同様に、連結部２３１と接続部２３４とを表地１０Ａと裏地１０Ｂとの間の収容空間１０ａに収容することにより、収容状態となる。
【００３９】
第３の実施の形態によると、第１の実施の形態による効果に加え、１つの連結部２３１及び連結保持部２３２で動物用被服２０１を実現することができるため、部品点数を減らし製造コストを削減することができる。さらに、固定部２３５が動物２の背骨に沿う方向に延びるように裏地１０Ｂに固定されているため、単一の連結保持部２３２であっても十分に動物２の引っ張り等に耐えることができる。また、連結部２３１のＤ字状の直線部の方向とファスナー２３３の延びる方向が同一であるため、開口２０３ａから容易に連結部２３１及び接続部２３４を取り出すことができる。動物用被服２０１は、主に小型犬等の被服に適している。
【００４０】
次に、第４の実施の形態による動物用被服３０１について、図６（ａ）及び図６（ｂ）に基づいて説明する。第１の実施の形態と同一の構成については、同一の符号を付し説明を省略する。
【００４１】
連結収容部３０３は、連結部３１と、連結保持部３２と、カバー部３３３と、本体部１０に設けられた係止部３３４と、を有している。図６（ｂ）に示すように、カバー部３３３は開口３ａを覆うことにより当該開口３ａを閉鎖するように構成されていて、一端部が本体部１０に固定され、他端部には係止部３３４と係止可能な被係止部３３５が設けられている。係止部３３４及び被係止部３３５は、それぞれ面ファスナーで構成されている。カバー部３３３は、表地１０Ａが左右方向に引っ張られて開口３ａが開いたとしても、当該開いた部分を覆う程度の左右方向の幅を持っている。カバー部３３３は、本発明の開閉部の一例である。
【００４２】
連結部３１及び連結保持部３２を表地１０Ａと裏地１０Ｂとの間の収容空間１０ａに収容し、係止部３３４と被係止部３３５とを係止させることで、連結部３１を図６（ｂ）に示す収容状態となる。動物用被服３０１では、図６（ａ）に示すような連結部３１及び連結保持部３２が外部に露出した露出状態と、図６（ｂ）に示すような連結部３１及び連結保持部３２が収容空間１０ａに収容された収容状態とを切り替えることができる。
【００４３】
図６（ａ）に示す状態のまま係止部３３４と被係止部３３５とを係止させることにより、連結部３１及び連結保持部３２が外部に露出した状態のまま開口３ａをカバー部３３３で覆うことができる。このとき、連結保持部３２がカバー部３３３を囲い、連結部３１が互いに接触した状態でリード紐４の係止金具４１が接続される。係止部３３４と被係止部３３５とを係止させていない状態であっても、カバー部３３３が開口３ａ、連結部３１、及び連結保持部３２を覆っているため、開口３ａに雨や粉塵が侵入することを抑制することができる。
【００４４】
第４の実施の形態によると、第１の実施の形態の効果に加え、カバー部３３３が開口３ａを覆うことにより、開口３ａを介して本体部１０の内部に雨や粉塵などが侵入するのを防止できる。また、係止部３３４及び被係止部３３５でカバー部３３３と本体部１０とを係止することにより、カバー部３３３がめくれ上がることを防止できる。さらに、カバー部３３３は連結部３１が露出状態でも開口３ａをある程度覆うことができるため、連結部３１にリード紐４が接続された散歩中であっても開口に雨や粉塵などが侵入することを防止できる。
【００４５】
次に、第５の実施の形態による動物用被服４０１について、図６（ｃ）及び図６（ｄ）に基づいて説明する。第１の実施の形態及び第４の実施の形態と同一の構成については、同一の符号を付し説明を省略する。
【００４６】
本体部１０には係止部４３４が設けられ、カバー部３３３の一端部には係止部４３４と係止可能な被係止部４３５が設けられている。係止部４３４及び被係止部４３５はボタンで構成されており、係止部４３４と被係止部４３５とを係止させることにより、カバー部３３３を本体部１０に固定することができる。
【００４７】
このような構成によると、第４の実施の形態と同様の効果を得ることができる。
【００４８】
本発明による動物用被服は、上述した実施の形態に限定されず、特許請求の範囲に記載された発明の要旨の範囲内で種々の変更が可能である。
【００４９】
第１の実施の形態では、連結収容部３は脚保持孔１３ａよりも後方に位置していたが、これに限定されない。例えば、脚保持孔１３ａよりも前方あるいは、脚保持孔１３ａと略同一に位置していてもよい。第１の実施の形態の動物用被服１では、動物２にハーネスを着用したときの連結部の位置を想定して連結収容部３の位置を決定したが、動物２に首輪を着用したときの連結部の位置を想定して連結収容部の位置を決定してもよい。つまり、動物用被服１を動物２に着用した際、動物２の首に相当する部分に連結収容部が位置するように構成してもよい。この場合には、連結収容部が左右方向中央部であって首部１２の近傍に設けられることとなる。
【００５０】
第１の実施の形態では、表地１０Ａと裏地１０Ｂとの間に連結部３１及び連結保持部３２を挟むように収容していたが、これに限定されない。例えば、裏地が無く表地だけで動物用被服の本体部が構成されていてもよい。この場合であっても、表地と動物の表皮との間に連結部及び連結保持部が保持されるため、同様の効果を得ることができる。
【００５１】
第１の実施の形態では、表地１０Ａに開口３ａを形成したが、これに限定されない。例えば、表地及び裏地のそれぞれに開口を形成し、ファスナーを設けてもよい。これにより、動物用被服がリバーシブルの場合であっても表面及び裏面の両方から連結部を取り出すことができる。
【００５２】
第２の実施の形態では、固定部１３５が左右に１条ずつ設けられていたが、これに限定されない。例えば、固定部１３５が左右に２条ずつであって、一方の固定部が脚保持孔１３ａの上側（首部１２側）に位置し他方の固定部が脚保持孔１３ａの下側（首部１２の反対側）に位置していてもよい。これにより、固定部がハーネスのような役割を果たすため、連結部はより強い力に対応することができる。
【００５３】
上述の実施の形態では、開口３ａは動物用被服１を動物２に着用した際に動物２の背骨と平行又は直交するように形成されたが、背骨と交差する方向に形成してもよい。
【００５４】
上述の実施の形態では、動物用被服１の本体部は、表地１０Ａと裏地１０Ｂの２層で構成されていたが、３層以上の層で構成されていてもよい。この場合には、任意の層に連結部及び連結保持部を配置することができる。これにより、保温性に優れた動物用被服を提供することができる。
【符号の説明】
【００５５】
１      動物用被服
２      動物
３      連結収容部
３ａ      開口
４      リード紐
１０      本体部
１０Ａ    表地
１０Ｂ    裏地
１０ａ  収容空間
３１    連結部
３２    連結保持部
３３    ファスナー
３４    接続部
３５    固定部
４１    係止金具
１３４  接続部
１３５  固定部
３３３  カバー部
【図１】
2018153104.tif 000003
【図２】
2018153104.tif 000004
【図３】
2018153104.tif 000005
【図４】
2018153104.tif 000006
【図５】
2018153104.tif 000007
【図６】
2018153104.tif 000008